(57)【要約】【課題】  感情に合わせた情報を容易に取得できるようにすること。【解決手段】  携帯電話１０１は、感情を表す感情情報を感情情報処理サーバ３０１に送信する。感情情報処理サーバ３０１の抽出手段３０４は通信手段３０３を介して、携帯電話１０１からの感情情報に対応する情報を複数のＲＳＳサーバ３０２から抽出し、前記抽出した情報を携帯電話１０１に送信する。携帯電話１０１は、感情情報処理サーバ３０１から受信した前記情報を表示する。【選択図】  図３
2009170991.tif 000002
【特許請求の範囲】
【請求項１】
携帯端末手段が、記憶手段に記憶した感情を表す感情情報を感情情報処理サーバに送信し、
感情情報処理サーバが、前記携帯端末手段からの感情情報に対応する情報をＲＳＳサーバから抽出し、前記抽出した情報を前記携帯端末手段に送信することを特徴とする情報送信方法。
【請求項２】
前記携帯端末手段は、前記感情情報を間接的に表す間接情報を検出するセンサ手段を有し、前記センサ手段が検出した間接情報に対応する前記感情情報を前記感情情報処理サーバに送信することを特徴とする請求項１記載の情報送信方法。
【請求項３】
前記携帯端末手段は、前記感情情報を間接的に表す間接情報を入力する入力手段を有し、前記入力手段から入力された間接情報に対応する前記感情情報を前記感情情報処理サーバに送信することを特徴とする請求項１又は２記載の情報送信方法。
【請求項４】
前記携帯端末手段は、複数の前記感情情報を記憶する記憶手段を有し、前記記憶手段に記憶した複数の感情情報から前記間接情報に対応する感情情報を選択し、該選択した感情情報を前記感情情報処理サーバに送信することを特徴とする請求項２又は３記載の情報送信方法。
【請求項５】
前記携帯端末手段は、複数の前記感情情報を記憶する記憶手段を有し、前記記憶手段に記憶した複数の感情情報から、前記入力手段から入力された間接情報に対応する感情情報を選択し、該選択した感情情報を前記感情情報処理サーバに送信することを特徴とする請求項３記載の情報送信方法。
【請求項６】
前記感情情報処理サーバは、前記感情情報がポジティブな感情情報の場合には、前記感情情報に対応する情報を前記ＲＳＳサーバから抽出することを特徴とする請求項１乃至５のいずれか一に記載の情報送信方法。
【請求項７】
前記感情情報処理サーバは、前記感情情報がネガティブな感情情報の場合には、当該感情を緩和させる情報を前記ＲＳＳサーバから抽出することを特徴とする請求項１乃至６のいずれか一に記載の情報送信方法。
【請求項８】
情報の送受信を行う通信手段と、複数の感情を表す感情情報を記憶する記憶手段と、前記感情情報を間接的に表す間接情報を検出するセンサ手段とを備え、
前記通信手段は、前記記憶手段に記憶した複数の感情情報から前記センサ手段が検出した間接情報に対応する感情情報を選択し、該選択した感情情報を感情情報処理サーバに送信することを特徴とする携帯端末装置。
【請求項９】
前記間接情報を入力する入力手段を備え、
前記通信手段は、前記記憶手段に記憶した複数の感情情報から、前記入力手段から入力された間接情報に対応する前記感情情報を選択し、該選択した感情情報を前記感情情報処理サーバに送信することを特徴とする請求項８記載の携帯端末装置。
【請求項１０】
携帯端末手段から感情を表す感情情報を受信すると共に、抽出手段が抽出した情報を前記携帯端末手段に送信する通信手段と、
前記通信手段が前記携帯端末手段から受信した感情情報に対応する情報をＲＳＳサーバから抽出する前記抽出手段とを備えて成ることを特徴とする感情情報処理サーバ。
【請求項１１】
前記抽出手段は、前記感情情報がポジティブな感情情報の場合には、前記感情情報に対応する情報を前記ＲＳＳサーバから抽出することを特徴とする請求項１０記載の感情情報処理サーバ。
【請求項１２】
前記抽出手段は、前記感情情報がネガティブな感情情報の場合には、当該感情を緩和させる情報を前記ＲＳＳサーバから抽出することを特徴とする請求項１０又は１１記載の感情情報処理サーバ。
【発明の詳細な説明】
【技術分野】
【０００１】
本発明は、使用者等の人の感情に対応する情報を送信する情報送信方法、前記情報送信方法に好適な携帯端末装置、感情情報処理サーバに関する。
【背景技術】
【０００２】
２００４年後半頃から、ＲＳＳが携帯端末内のアプリへ配信されるようになってきている（例えば、株式会社ｊｉｇ．ｊｐのｊｉｇブラウザなど）。
ＲＳＳを使うといちいちサイトをチェックすることなく自動的に更新された情報を取得できる。
この知らせ方もさまざまな形態のものがあり、例えばメールをしながら更新された情報があるとポップアップで知らせてくれたり、デスクトップ上にテロップとして更新された情報が流れてきたり、と自分のネットスタイルに合わせた形で情報収集ができる（特許文献１〜８参照）。
【０００３】
例えば、前記特許文献１には、通信端末を介する他ユーザの感情を表す非言語情報そのものを様々なタイミングで取得することを可能にした情報通信システムが開示されている。
特許文献２には、配信された着信メロディから感情データを算出し、感情データに基づいて感情表現動作を行わせることが可能な音楽データ配信システムが開示されている。
特許文献３には、音声や文字等を送受信するだけでなく、使用者の感情状態もリアルタイムで伝達できるようにした移動端末機使用者の感情伝達及び方法が開示されている。
【０００４】
特許文献４には、コンテンツのサーバへのアップロードといった複雑な作業をしなくても、効率的にユーザの興味のあるコンテンツを保持し、また様々な場所から当該コンテンツを閲覧することができる情報提供装置が開示されている。
特許文献５には、送り手側で仲間で共有する写真データから顔写真を特定し、特定した顔写真から喜怒哀楽情報を創出し、特定された顔写真認識番号と喜怒哀楽指令値と電子メールの貼り付け位置情報を送信し、受け手の携帯電話機で青写真を再生しメールの指定位置に添付するようにした携帯電話機が開示されている。
【０００５】
ところで、その時々のユーザの感情にあわせた情報を取得したい場合がある。しかしながら、前記各特許文献１〜５には、そのときのユーザの感情にあわせた種々の情報を自動で取得するような手段は開示されておらず、これらの特許文献１〜５記載の発明では、その時々のユーザの感情にあわせた情報を取得できない。
【０００６】
【特許文献１】特開２００３−１１０７０３号公報
【特許文献２】特開２００５−６４９４２号公報
【特許文献３】特開２００６−５９４５号公報
【特許文献４】特開２００６−１３９４７０号公報
【特許文献５】特開２００６−３５０９８６号公報
【特許文献６】特開２００５−３５２１５１号公報
【特許文献７】特開２００７−１４８９３９号公報
【特許文献８】特開平９−２９２９６４号公報
【発明の開示】
【発明が解決しようとする課題】
【０００７】
本発明は、感情に合わせた情報を容易に取得できるようにすることを課題としている。
【課題を解決するための手段】
【０００８】
本発明によれば、携帯端末手段が、記憶手段に記憶した感情を表す感情情報を感情情報処理サーバに送信し、感情情報処理サーバが、前記携帯端末手段からの感情情報に対応する情報をＲＳＳサーバから抽出し、前記抽出した情報を前記携帯端末手段に送信することを特徴とする情報送信方法が提供される。
携帯端末手段が、記憶手段に記憶した感情を表す感情情報を感情情報処理サーバに送信し、感情情報処理サーバが、前記携帯端末手段からの感情情報に対応する情報をＲＳＳサーバから抽出し、前記抽出した情報を前記携帯端末手段に送信する。
【０００９】
ここで、前記携帯端末手段は、前記感情情報を間接的に表す間接情報を検出するセンサ手段を有し、前記センサ手段が検出した間接情報に対応する前記感情情報を前記感情情報処理サーバに送信するように構成してもよい。
また、前記携帯端末手段は、前記感情情報を間接的に表す間接情報を入力する入力手段を有し、前記入力手段から入力された間接情報に対応する前記感情情報を前記感情情報処理サーバに送信するように構成してもよい。
【００１０】
また、前記携帯端末手段は、複数の前記感情情報を記憶する記憶手段を有し、前記記憶手段に記憶した複数の感情情報から前記間接情報に対応する感情情報を選択し、該選択した感情情報を前記感情情報処理サーバに送信するように構成してもよい。
また、前記携帯端末手段は、複数の前記感情情報を記憶する記憶手段を有し、前記記憶手段に記憶した複数の感情情報から、前記入力手段から入力された間接情報に対応する感情情報を選択し、該選択した感情情報を前記感情情報処理サーバに送信するように構成してもよい。
【００１１】
また、前記感情情報処理サーバは、前記感情情報がポジティブな感情情報の場合には、前記感情情報に対応する情報を前記ＲＳＳサーバから抽出するように構成してもよい。
また、前記感情情報処理サーバは、前記感情情報がネガティブな感情情報の場合には、当該感情を緩和させる情報を前記ＲＳＳサーバから抽出するように構成してもよい。
【００１２】
また、本発明によれば、情報の送受信を行う通信手段と、複数の感情を表す感情情報を記憶する記憶手段と、前記感情情報を間接的に表す間接情報を検出するセンサ手段とを備え、前記通信手段は、前記記憶手段に記憶した複数の感情情報から前記センサ手段が検出した間接情報に対応する感情情報を選択し、該選択した感情情報を感情情報処理サーバに送信することを特徴とする携帯端末装置が提供される。
通信手段は、記憶手段に記憶した複数の感情情報からセンサ手段が検出した間接情報に対応する感情情報を選択し、該選択した感情情報を感情情報処理サーバに送信する。
【００１３】
ここで、前記間接情報を入力する入力手段を備え、前記通信手段は、前記記憶手段に記憶した複数の感情情報から、前記入力手段から入力された間接情報に対応する前記感情情報を選択し、該選択した感情情報を前記感情情報処理サーバに送信するように構成してもよい。
【００１４】
また、本発明によれば、携帯端末手段から感情を表す感情情報を受信すると共に、抽出手段が抽出した情報を前記携帯端末手段に送信する通信手段と、前記通信手段が前記携帯端末手段から受信した感情情報に対応する情報をＲＳＳサーバから抽出する前記抽出手段とを備えて成ることを特徴とする感情情報処理サーバが提供される。
通信手段は携帯端末手段から感情を表す感情情報を受信する。抽出手段は前記通信手段が前記携帯端末手段から受信した感情情報に対応する情報をＲＳＳサーバから抽出する。また、前記通信手段は前記は抽出手段が抽出した情報を前記携帯端末手段に送信する。
【００１５】
ここで、前記抽出手段は、前記感情情報がポジティブな感情情報の場合には、前記感情情報に対応する情報を前記ＲＳＳサーバから抽出するように構成してもよい。
また、前記抽出手段は、前記感情情報がネガティブな感情情報の場合には、当該感情を緩和させる情報を前記ＲＳＳサーバから抽出するように構成してもよい。
【発明の効果】
【００１６】
本発明の情報送信方法によれば、感情に合わせた情報を容易に取得することが可能になる。
また、本発明の携帯端末装置、感情情報処理サーバによれば、前記情報送信方法を実現する上で好適である。
【発明を実施するための最良の形態】
【００１７】
先ず、本発明の実施の形態の概要を説明すると、携帯端末装置においてユーザの感情をデータとして保持することにより、その感情に合わせた情報をＲＳＳにて取得するための方法を提供する。具体的には、携帯端末装置において、あらかじめユーザの感情を抽出する。抽出方法は、手動と自動どちらもあるが、手動の場合はユーザが自分で現在の感情を設定し、自動の場合はカメラによる撮影データやメールの内容、体温・脈拍など体内情報から感情データを抽出する。抽出したデータを元に感情情報処理サーバがさまざまなＲＳＳの個々の情報からその感情に当てはまる情報のみを選別し、前記携帯端末装置へ配信するようにしている。
【００１８】
以下、図面を用いて、本発明の実施の形態に係る情報送信方法、携帯端末装置、感情情報処理サーバについて説明する。尚、各図において、同一部分には同一符号を付している。
図１は、本発明の実施の形態に係る情報送信方法に使用する携帯端末装置の外観を示す図で、携帯端末装置として折り畳み式携帯電話１０１の例を示している。
図１において、携帯電話１０１は、ヒンジ（図示せず）によって相互に折り畳み可能に構成された第１筐体１０２、第２筐体１０３を有している。第１筐体１０２には、表示部１０４、カメラ１０５が設けられている。第２筐体１０３には、キースイッチなどによって構成された操作部１０６、バイオセンサ１０７、音声センサ１０８が設けられている。
【００１９】
バイオセンサ１０７は人体の体温、脈、気温などを測るセンサであり又、音声センサ１０８は人の音声を検出するセンサである。
また、図１には示していないが、第１、第２筐体には通話用のマイクやスピーカが設けられている。
尚、携帯端末装置の形状については、折りたたみ型やスライド型であることが望ましいが、それ以外の形状でも適用可能である。
【００２０】
図２は、図１に示した携帯電話１０１のブロック図である。
図２において、携帯電話１０１は、音声やデータ等の情報を無線で送受信する無線通信部２０１、送受信する信号を適した形式の信号に変換処理する信号処理部２０２、音声や呼び出し音等を出力するスピーカ２０３、通話する音声等を入力するマイク２０４を備えている。
【００２１】
また、携帯電話１０１は、中央処理装置（ＣＰＵ）によって構成され携帯電話１０１の各構成要素の制御や演算等を行う制御部２０５、制御部２０６が実行するプログラムや各種データを記憶するメモリ２０６、表示部１０４、操作部１０６、カメラ１０５、バイオセンサ１０７、音声センサ１０８を備えている。
ここで、携帯電話１０１は携帯端末手段を構成し、無線通信部２０１、信号処理部２０２及び制御部２０５は通信手段を構成している。メモリ２０６は記憶手段を構成している。バイオセンサ１０７及び音声センサ１０８はセンサ手段を構成している。操作部１０６は入力手段を構成している。
【００２２】
通信手段は情報の送受信を行うことができる。記憶手段は感情を表す複数の感情情報を記憶することができる。センサ手段は前記感情情報を間接的に表す間接情報を検出することができる。また、前記通信手段は、前記記憶手段に記憶した複数の感情情報の中から、前記センサ手段が検出した間接情報に対応する感情情報を選択し、該選択した感情情報を後述する感情情報処理サーバに送信することができる。
入力手段は前記間接情報を入力することができる。この場合、前記通信手段は、前記記憶手段に記憶した複数の感情情報の中から、前記入力手段から入力された間接情報に対応する前記感情情報を選択して前記感情情報処理サーバに送信することができる。
【００２３】
図３は、本発明の実施の形態に係る情報送信方法に使用する情報送信システムを示すブロック図である。
図３において、３０１は感情情報処理サーバ、３０２はＲＳＳサーバであり、ＲＳＳサーバ３０２は複数設けられている。
感情情報処理サーバ３０１は、通信手段３０３、抽出手段３０４及び磁気ディスク装置等によって構成された記憶手段３０５を備えている。抽出手段３０４はＣＰＵ及び前記ＣＰＵが実行するプログラムによって構成することができる。
【００２４】
通信手段３０３は携帯端末手段から感情を表す感情情報（記憶手段３０５に記憶した感情情報）を受信することができると共に、抽出手段３０４がＲＳＳサーバ３０２から抽出して得た情報（記憶手段３０５に記憶した情報）を前記携帯端末手段に送信することができる。
記憶手段３０５は、前記携帯端末手段から受信した前記感情情報を記憶すると共に、抽出手段３０４がＲＳＳサーバ３０２から抽出して得た情報を記憶することができる。
【００２５】
抽出手段３０４は、通信手段３０３が前記携帯端末手段から受信した前記感情情報に対応する情報をＲＳＳサーバ３０２から抽出することができる。また、抽出手段３０４は、前記感情情報がポジティブな感情情報の場合には、前記感情情報に対応する情報をＲＳＳサーバ３０２から抽出することができる。一方、抽出手段３０４は、前記感情情報がネガティブな感情情報の場合には、当該感情を緩和させる情報をＲＳＳサーバ３０２から抽出することができる。
図４は、携帯電話１０１のメモリ２０６に記憶されている複数の感情情報を格納したテーブル４０１を示す図である。テーブル４０１には「うれしい」、「わくわく」等の複数の感情情報４０２が格納されている。
【００２６】
以下、図１〜図４を用いて、本発明の実施の形態の動作を詳細に説明する。
先ず、携帯電話１０１に感情情報を登録する方法を説明すると、感情情報の登録方法には使用者が手動で登録する方法と自動で登録する方法の２種類があり、いずれの方法によって登録するかは使用者が操作部１０６を操作することによって選択可能である。
手動によって感情情報を登録する場合は、「うれしい」、「わくわく」、「悲しい」、「怒り」など、現在の使用者の感情を操作部１０６から入力することで、メモリ２０６内のテーブル４０１に感情情報４０２として登録される。
【００２７】
一方、自動で感情情報を登録する場合は、次のような方法で感情情報の抽出を行い、該感情情報４０２をテーブル４０１に登録する。
例えば、制御部２０５は、カメラ１０５によって撮影された使用者の表情に基づいて、該表情に対応する感情情報４０２を生成してテーブル４０１に登録する。
また制御部２０５は、使用者が作成した電子メールのメール文章に基づいて、該メール文書の内容に対応する感情情報４０２を生成してテーブル４０１に登録する。
【００２８】
また制御部２０５は、使用者の体温、脈などをバイオセンサ１０７が検出した体内情報に基づいて、該体内情報に対応する現在の感情情報４０２を生成してテーブル４０１に登録する。
また制御部２０５は、使用者の声を音声センサ１０８が検出した声帯情報に基づいて、該声帯情報に対応する現在の感情情報４０２を生成してテーブル４０１に登録する。
【００２９】
また制御部２０５は、天気、気温などをバイオセンサ１０７が検出した気象情報に基づいて、該気象情報に対応する使用者の現在の感情情報４０２を生成してテーブル４０１に登録する。この場合、例えば、天候が「晴れ」の場合の感情情報４０２は「うれしい」、天候が「雨」の場合の感情情報４０２は「憂鬱」など、簡易な感情情報４０２を生成するように構成できる。
【００３０】
尚、メモリ２０６に予め複数の感情情報４０２を記憶しておき、使用者が手動で感情情報４０２を登録する場合に、前記テーブルに格納されている複数の感情情報４０２を表示部１０４に表示させ、その中から操作部１０６によって選択してテーブル４０１に登録するように構成してもよい。
また、メモリ２０６に、予め複数の感情情報４０２と前記各感情情報４０２を間接的に表す複数の間接情報とを対応付けた対応テーブルを記憶しておき、制御部２０５が自動で感情情報４０２を生成する場合に、前記対応テーブルから、センサ１０７、１０８が検出した間接情報に対応する感情情報４０２を抽出してテーブル４０１に登録するように構成してもよい。
【００３１】
感情情報４０２については、使用者が操作部１０６を操作することによってテーブル４０１に登録されている感情情報４０２を表示部１０４に表示させ、任意のタイミングで確認できるように構成することで、現在の感情情報４０２を操作部１０６によって訂正することも可能である。
制御部２０５は、信号処理部２０２及び無線通信部２０１により、テーブル４０１に登録した全ての感情情報４０２を、自動または操作部１０６の操作に応答して手動で、インターネットまたは専用回線を通じて、感情情報処理サーバ３０１に送信する。尚、制御部２０５は、テーブル４０１に登録した全ての感情情報４０２を送信するのではなく、感情情報４０２の中から操作部１０６によって選択した感情情報を感情情報処理サーバ３０１に送信するようにしてもよい。
【００３２】
感情情報処理サーバ３０１では、通信手段３０３が、携帯電話１０１から送信された感情情報４０２を受信して記憶手段３０５に記憶する。抽出手段３０４は、通信手段３０３を介して、記憶手段３０５に記憶した前記感情情報４０２に基づいて、様々な複数のＲＳＳサーバ３０２から感情情報４０２に関連する情報を抽出する。
感情情報処理サーバ３０１がＲＳＳサーバ３０２から感情情報４０２に関連する情報を抽出する方法は様々な方法が考えられるが、うれしい、楽しいなどポジティブな感情の場合はその情報をそのまま抽出し、悲しい、怒りなどネガティブな感情の場合には、それを緩和させる情報を抽出するように構成してもよい。
【００３３】
この場合、感情情報処理サーバ３０１の抽出手段３０３は通信手段３０４を介して各ＲＳＳサーバ３０２に接続して、携帯電話１０１から受信した感情情報４０２がポジティブな感情情報の場合には、前記感情情報に対応する情報を各ＲＳＳサーバ３０２から抽出し、前記受信した感情情報４０２がネガティブな感情情報の場合には、当該感情を緩和させる情報を各ＲＳＳサーバ３０２から抽出する。
【００３４】
各ＲＳＳサーバ３０２側で、あらかじめこの情報は「うれしい」であることを示すフラグをつけておくことで、感情情報処理サーバ３０１が感情情報４０２に対応する情報を抽出しやすくするようにしてもよい。
感情情報処理サーバ３０１の抽出手段３０３は各ＲＳＳサーバ３０２から抽出した情報をメモリ３０５に記憶し、前記抽出した情報を通信手段３０４によってインターネットまたは専用回線を介して、ＲＳＳ情報として自動で当該携帯電話１０１に配信が行われる。
携帯電話１０１では、感情情報サーバ３０１から、感情情報４０２に対応する情報を受信し、制御部２０５が前記受信した情報を表示部１０４に表示する。
【００３５】
以上述べたように本発明の実施の形態に係る情報送信方法によれば、携帯端末装置の一種である携帯電話１０１が、メモリ２０６に記憶した感情を表す感情情報４０２を感情情報処理サーバ３０１に送信し、感情情報処理サーバ３０１が、携帯電話１０１からの感情情報４０２に対応する情報をＲＳＳサーバ３０２から抽出し、前記抽出した情報を携帯電話１０１に送信するようにしている。したがって、そのときの感情に合わせた情報を容易に取得することが可能になる。
【００３６】
また、本実施の形態によれば、前記情報送信方法を実現する上で好適な携帯電話１０１、感情情報処理サーバ３０１を提供することが可能になる。
また、携帯電話１０１において、ユーザの感情をデータとして保持することにより、その感情に合わせた情報をＲＳＳにて取得するためのシステムが提供できる。また、ユーザの感情については、手動でも自動でも取得が可能であり、その日、その時の感情に合わせた情報を取得することが可能になる。
【００３７】
尚、テーブル４０１には複数の感情情報が登録された例を説明したが、感情情報が１つであってもよい。
また、前記実施の形態では、携帯端末装置が携帯電話１０１の例で説明したが、ＰＨＳ（Personal Handyphone System）、ＰＤＡ（Personal Digital Assistants：携帯型情報端末）等、感情情報の送信機能及び情報の受信機能を有する携帯端末装置に適用可能である。
【産業上の利用可能性】
【００３８】
携帯電話、ＰＨＳ、ＰＤＡ、携帯型パソコンをはじめとする通信機能を有する携帯端末装置に利用可能である。
【図面の簡単な説明】
【００３９】
【図１】本発明の実施の形態に係る情報送信方法に使用する携帯端末装置の外観を示す図である。
【図２】本発明の実施の形態に係る情報送信方法に使用する携帯端末装置のブロック図である。
【図３】本発明の実施の形態に係る情報送信方法に使用する情報送信システムを示すブロック図である。
【図４】本発明の実施の形態における感情情報を格納したテーブルを示す図である。
【符号の説明】
【００４０】
１０１・・・携帯電話
１０２・・・第１筐体
１０３・・・第２筐体
１０４・・・表示部
１０５・・・カメラ
１０６・・・操作部
１０７・・・バイオセンサ
１０８・・・音声センサ
２０１・・・無線通信部
２０２・・・信号処理部
２０３・・・スピーカ
２０４・・・マイク
２０５・・・制御部
２０６・・・メモリ
３０１・・・感情情報処理サーバ
３０２・・・ＲＳＳサーバ
３０３・・・通信手段
３０４・・・抽出手段
３０５・・・記憶手段
４０１・・・テーブル
４０２・・・感情情報
【図１】
2009170991.tif 000003
【図２】
2009170991.tif 000004
【図３】
2009170991.tif 000005
【図４】
2009170991.tif 000006